(57)【要約】【課題】コネクタハウジングに装着された固定部材が回路基板から引き剥がされるのを防止する。【解決手段】基板用コネクタは、コネクタハウジング１０に装着される固定部材６０を備える。固定部材６０は、板状であって、コネクタハウジング１０の壁面１２に沿って配置されるハウジング装着部６１と、ハウジング装着部６１に連なり、回路基板９０の表面に半田付けして固定される基板固定部６２とを有する。ハウジング装着部６１は、回路基板９０に近い一側と回路基板９０から遠い他側とにそれぞれ平板部６３、６４を有し、各平板部６３、６４の間に、各平板部６３、６４に対して板厚方向に膨出した曲げ部６５を有している。曲げ部６５は、ハウジング装着部６１の各平板部６３、６４の間における板幅方向の全幅に設けられている。【選択図】図５
2020102389.tif 000002
【特許請求の範囲】
【請求項１】
コネクタハウジングと、前記コネクタハウジングに装着される固定部材とを備え、
前記固定部材は、板状であって、前記コネクタハウジングの壁面に沿って配置されるハウジング装着部と、前記ハウジング装着部に連なり、回路基板の表面に半田付けして固定される基板固定部とを有し、
前記ハウジング装着部は、前記回路基板に近い一側と前記回路基板から遠い他側とにそれぞれ平板部を有し、前記高さ方向において前記一側と前記他側の前記各平板部の間に、前記各平板部に対して板厚方向に膨出した曲げ部を有しており、
前記曲げ部は、前記ハウジング装着部の前記各平板部の間における板幅方向の全幅に設けられている基板用コネクタ。
【請求項２】
前記曲げ部の板幅寸法は、前記各平板部の板幅寸法より小さくされ、
前記ハウジング装着部には、前記曲げ部の板幅方向の両端に、前記各平板部の板幅方向の両端に対して板幅方向内側に凹む一対の凹部が設けられている請求項１に記載の基板用コネクタ。
【請求項３】
前記各凹部の前記一側の縁部のうち、前記板幅方向内側の奥端側の部分は、前記板幅方向外側の開口端側の部分と同じ高さ位置または前記開口端側の部分より低い位置に配置されている請求項２に記載の基板用コネクタ。
【請求項４】
前記各凹部の前記他側の縁部は、前記板幅方向外側の開口端側の部分から前記板幅方向内側の奥端側の部分に向けて前記一側に近づくように傾斜している請求項２または請求項３に記載の基板用コネクタ。
【請求項５】
前記曲げ部は、前記コネクタハウジングの壁面から離れる方向に膨出し、
前記基板固定部は、前記一側の前記平板部に連なって前記コネクタハウジングの壁面から離れる方向に突出している請求項１ないし請求項４のいずれか１項に記載の基板用コネクタ。
【発明の詳細な説明】
【技術分野】
【０００１】
本発明は、基板用コネクタに関する。
【背景技術】
【０００２】
特許文献１に開示の基板用シールドコネクタは、回路基板に取り付けられるコネクタハウジングを備えている。コネクタハウジングの両側面には、それぞれ、基板取付片（以下、固定部材という）を装着可能な装着溝が設けられている。
【０００３】
固定部材は、金属製の板材であって、コネクタハウジングの側面に沿って配置されるハウジング装着部分と、ハウジング装着部分の下端から屈曲され、回路基板の表面に半田付けして固定される基板固定部分とを有している。ハウジング装着部分は、全体として高さ方向に沿った垂直板状をなしている。
【先行技術文献】
【特許文献】
【０００４】
【特許文献１】特開２０１２−２２８８５号公報
【発明の概要】
【発明が解決しようとする課題】
【０００５】
ところで、コネクタハウジングが相手側コネクタハウジングに嵌合された状態で、例えば、相手側コネクタハウジングから引き出された電線が上方へ振られるなどし、コネクタに過大な外力が加わると、固定部材が回路基板から引き剥がされる懸念があった。これに対し、回路基板に対する固定部材の半田付け面積を広くとることにより、固定部材の引き剥がし強度を大きくすることができた。しかし、小型化のコネクタの場合には、半田付け面積を拡大するのが難しいという事情があった。
【０００６】
本発明は上記のような事情に基づいて完成されたものであって、コネクタハウジングに装着された固定部材が回路基板から引き剥がされるのを防止することが可能な基板用コネクタを提供することを課題とする。
【課題を解決するための手段】
【０００７】
本発明の基板用コネクタは、コネクタハウジングと、前記コネクタハウジングに装着される固定部材とを備え、前記固定部材は、板状であって、前記コネクタハウジングの壁面に沿って配置されるハウジング装着部と、前記ハウジング装着部に連なり、回路基板の表面に半田付けして固定される基板固定部とを有し、前記ハウジング装着部は、前記回路基板に近い一側と前記回路基板から遠い他側とにそれぞれ平板部を有し、前記高さ方向において前記一側と前記他側の前記各平板部の間に、前記各平板部に対して板厚方向に膨出した曲げ部を有しており、前記曲げ部は、前記ハウジング装着部の前記各平板部の間における板幅方向の全幅に設けられているところに特徴を有する。
【発明の効果】
【０００８】
固定部材のハウジング装着部が一側と他側の各平板部の間に各平板部に対して板厚方向に膨出した曲げ部を有し、この曲げ部がハウジング装着部の各平板部の間における板幅方向の全幅に設けられているため、基板用コネクタに外力が作用したときに、曲げ部に応力を吸収させることができ、ハウジング装着部における回路基板に近い一側および基板固定部に過大な応力が加わるのを防止することができる。その結果、固定部材が回路基板から引き剥がされるのを防止することができる。
【図面の簡単な説明】
【０００９】
【図１】本発明の実施例１の基板用コネクタにおいて、固定部材を斜め上前方から見た斜視図である。
【図２】固定部材を斜め上後方から見た斜視図である。
【図３】固定部材を斜め下後方から見た斜視図である。
【図４】固定部材の正面図である。
【図５】相手側コネクタに嵌合された状態の正面図である。
【図６】図５のＡ−Ａ線で切断した部分拡大断面図である。
【発明を実施するための形態】
【００１０】
本発明の好ましい形態を以下に示す。
（１）前記曲げ部の板幅寸法は、前記各平板部の板幅寸法より小さくされ、前記ハウジング装着部には、前記曲げ部の板幅方向の両端に、前記各平板部の板幅方向の両端に対して板幅方向内側に凹む一対の凹部が設けられているとよい。これによれば、基板用コネクタに対し固定部材を回路基板から引き剥がす向きの外力が作用したときに、ハウジング装着部の各平板部間でかつ板幅方向内側に応力を吸収させることができ、つまり固定部材の中心側に応力を集めることができる。このため、固定部材の基板固定部の板幅方向外側に応力が伝搬しにくくなり、基板固定部が回路基板に対して板幅方向外側の端部から引き剥がされるのを良好に防止することができる。
【００１１】
（２）前記各凹部の前記一側の縁部のうち、前記板幅方向内側の奥端側の部分は、前記板幅方向外側の開口端側の部分と同じ高さ位置または前記開口端側の部分より低い位置に配置されているとよい。これによれば、基板用コネクタに対し固定部材を回路基板から引き剥がす向きの外力が作用したときに、各凹部の一側の縁部のうち、板幅方向内側の奥端側の部分に応力を吸収させることができ、基板固定部が回路基板に対して板幅方向外側の端部から引き剥がされるのをより良好に防止することができる。
【００１２】
（３）前記各凹部の前記他側の縁部は、前記板幅方向外側の開口端側の部分から前記板幅方向内側の奥端側の部分に向けて前記一側に近づくように傾斜しているとよい。これによれば、コネクタに対し固定部材を回路基板から引き剥がす向きに外力が作用したときに、各凹部の他側の縁部における板幅方向外側の開口端側の部分から板幅方向内側の奥端側の部分に向けて応力を伝搬させることができ、基板固定部が回路基板に対して板幅方向外側の端部から引き剥がされるのをより良好に防止することができる。
【００１３】
（４）前記曲げ部は、前記コネクタハウジングの壁面から離れる方向に膨出し、前記基板固定部は、前記一側の前記平板部に連なって前記コネクタハウジングの壁面から離れる方向に突出しているとよい。これによれば、曲げ部および基板固定部がコネクタハウジングの壁面から離れる方向で互いに重なり合う部分を有することになる。このため、固定部材がコネクタハウジングの壁面から離れる方向に大型になるのを防止することができ、スペースの有効利用を図ることができる。
【００１４】
＜実施例１＞
本発明の実施例１を図１〜図６によって説明する。本実施例１の基板用コネクタは、回路基板９０の表面に設置されるコネクタハウジング１０と、コネクタハウジング１０に装着される固定部材６０とを備えている。
【００１５】
コネクタハウジング１０は合成樹脂製であって、筒状のフード部１１を有している。図５に示すように、フード部１１内には、図示右側から相手側コネクタの相手側コネクタハウジング３０が嵌合される。コネクタハウジング１０には、図示しない雄型のシールド端子が装着されている。シールド端子は、図示しないが、回路基板９０の表面に形成された、導電部に半田付けして接続される内導体端子と、グランド部に半田付けして接続される外導体端子とを有している。
【００１６】
相手側コネクタハウジング３０には、図示しない雌型の相手側シールド端子が装着される。相手側シールド端子は、図示しないが、電線４０（シールド電線）に設けられた、シールド層に圧着して接続される相手側外導体端子と、導線部に圧着して接続される相手側内導体端子とを有している。電線４０は、相手側コネクタハウジング３０から外部へ引き出される。
【００１７】
コネクタハウジング１０の壁面１２には、固定部材６０を装着する装着溝１３が設けられている。壁面１２は、回路基板９０の板面方向と直交する高さ方向（上下方向）および両コネクタハウジング１０、３０の嵌合方向（左右方向）にほぼ沿って配置される一対の側面（図５では一方のみ図示）で構成される。固定部材６０は、各壁面１２に対をなして設けられている。
【００１８】
コネクタハウジング１０の壁面１２には、装着溝１３の両側を区画する左右夫々の区画壁１４が設けられている。各区画壁１４の間には、装着溝１３の溝奥面が上下方向に沿って配置されている。各区画壁１４は、装着溝１３に臨む内側縁の上下方向途中に、段部１５を有している。装着溝１３は、段部１５を介して上側の溝幅が下側の溝幅よりも広くなるように形成されている。各区画壁１４は、図６に示すように、内側に装着溝１３の溝奥面に連続するスリット１６を有している。
【００１９】
固定部材６０は、金属製の板材であって、コネクタハウジング１０の装着溝１３に上方から挿入される。図６に示すように、固定部材６０は、コネクタハウジング１０の壁面１２（装着溝１３の溝奥面）に対向して配置されるハウジング装着部６１と、ハウジング装着部の下端部から曲げられ、回路基板９０の表面に対向して配置される基板固定部６２とを有している。
【００２０】
図１〜図４に示すように、ハウジング装着部６１は、回路基板９０に近い下側に位置する下側の平板部６３と、回路基板９０から遠い上側に位置する上側の平板部６４と、各平板部６３、６４の間となる上下方向途中に位置する曲げ部６５とを有している。
【００２１】
各平板部６３、６４は、前後の板面に、上下方向および左右方向に沿った平面６６を有している。上側の平板部６４の左右両端縁には、下方へ向けてテーパ状に縮幅する傾斜縁部６７が設けられている。上側の平板部６４には、各傾斜縁部６７の途中において左右方向に平行に形成された切り込み８８間の部分を前側へ曲げ起こすことで、矩形片状の一対のストッパ片６８が設けられている。また、上側の平板部６４には、各ストッパ片６８と同じ高さ位置に、左右方向に長いリブ６９が設けられている。リブ６９は、扁平台状をなし、平板部６４の中央部分を前方へ叩き出して形成される。
上側の平板部６４の各傾斜縁部６７のうち、各ストッパ片６８より上方には、爪状の一対の突起片７１が左右両側に張り出して設けられている。
【００２２】
ここで、図６に示すように、各平板部６３、６４の平面６６が装着溝１３の溝奥面に接触するように配置され、各傾斜縁部６７が各スリット１６に進入し、かつ各ストッパ片６８が各段部１５に上方から当たり得る状態で、図５に示すように、各突起片７１が装着溝１３の各側縁に食い込んで係止されることにより、ハウジング装着部６１がコネクタハウジング１０の壁面１２に離脱規制状態に保持される。
【００２３】
下側の平板部６３は、前後の板面全体に、上側の平板部６４と同様、上下方向および左右方向に沿った平面６６を有している。下側の平板部６３は、正面視において左右方向に長い矩形板状をなし、左右両端縁が上下方向に沿って配置されている。下側の平板部６３の板幅寸法（左右方向の寸法）は、上側の平板部６４の下端の板幅寸法（平板部６４の最小板幅寸法）より小さくされている。
【００２４】
曲げ部６５は、ハウジング装着部６１の上下方向途中の部分、詳細には上下方向中央より少し下方の部分を、全幅にわたって前方へ湾曲状に曲げて形成される。図６に示すように、曲げ部６５は、側面視において、各平板部６３、６４に対して前方へ向けて半円弧状に膨出する形態になっている。
【００２５】
曲げ部６５の板幅寸法は、各平板部６３、６４の板幅寸法より小さくされている。ハウジング装着部６１は、曲げ部６５の左右両端縁に、各平板部６３、６４の左右両端縁に対して左右方向内側（左右中央側）へ凹む形態の一対の凹部７２を有している。
【００２６】
各凹部７２は、湾曲凹状に形成されている。各凹部７２における回路基板９０に近い一側の下端縁は、図４に示すように、左右外側の開口端側から左右中央側の奥端側へ向けて概ね左右方向に延びる水平な直線状縁部７３とされ、奥端側の部分７４が開口端側の部分７５と概ね同じ高さ位置または開口端側の部分７５より低い位置に配置される。各凹部７２の下端縁における開口端側の部分７５は、下側の平板部６３の左右両端縁に連なっている。
【００２７】
各凹部７２における回路基板９０から遠い他側の上端縁は、図４に示すように、左右外側の開口端側から左右中央側の奥端側へ向けて下向きに緩く傾斜するように延びる傾斜状縁部７６とされ、奥端側の部分７８が開口端側の部分７７より低い位置に配置される。各凹部７２の上端縁における開口端側の部分７７は、水平部８９を介して上側の平板部６４の左右両端縁に連なっている。
【００２８】
各凹部７２の左右中央側の奥端縁は、直線状縁部７３および傾斜状縁部７６に回曲して連なる弧状の湾曲状縁部７９とされている。曲げ部６５は、上下方向に関して各凹部７２の形成範囲内に設けられている。
【００２９】
図１〜図３に示すように、基板固定部６２は、ハウジング装着部６１の下端から前方へ突出し、平板部６３と略直交して配置される水平板部８１と、水平板部８１の前端から上方へ突出し、平板部６３と平行に対向して配置される垂直板部８２とを有している。水平板部８１および垂直板部８２は、いずれも下側の平板部６３の板幅寸法とほぼ同じ板幅寸法を有し、左右方向に長い矩形板状に形成されている。
【００３０】
固定部材６０の下端部は、下側の平板部６３、水平板部８１および垂直板部８２によって側面視Ｕ字形に形成されている。水平板部８１は、下側の平板部６３と連なる基端側に、前後方向において曲げ部６５と重なり合う部分を有している。図３に示すように、水平板部８１には、左右方向に間隔をあけて複数の貫通孔８３が設けられている。各貫通孔８３は、左右方向にやや長い略矩形または長円形の開口形状を有している。
【００３１】
次に、本実施例１の基板用コネクタの作用および効果を説明する。
ハウジング装着部６１をコネクタハウジング１０の装着溝１３に上方から挿入し、各突起片７１および各ストッパ片６８を介して、固定部材６０をコネクタハウジング１０に装着する（図５を参照）。各平板部６３、６４の平面６６は装着溝１３の溝奥面に沿って接触するように配置され、曲げ部６５は装着溝１３の溝奥面から離れるように前方に突出して配置される（図６を参照）。基板固定部６２の水平板部８１も装着溝１３の溝奥面から離れるように前方に突出して配置される。
【００３２】
続いて、コネクタハウジング１０を回路基板９０の表面に載せる。すると、基板固定部６２の水平板部８１が回路基板９０の表面に沿って配置される。次いで、リフロー半田などの半田付け工程によって、基板固定部６２の水平板部８１が回路基板９０に半田により固定される。水平板部８１の各貫通孔８３には半田が進入し、垂直部の前面側にも半田が付着する。コネクタハウジング１０の一部は、各固定部材６０の基板固定部８２によって回路基板９０に固定された状態で、回路基板９０の図５の右端より右方へ突出して配置される。
【００３３】
続いて、相手側コネクタハウジング３０をコネクタハウジング１０に嵌合させる。両コネクタハウジング１０、３０が嵌合された状態で、相手側コネクタハウジング３０から図５の右側に電線４０が引き出される。ここで、電線４０が持ち上げられるなどし、基板用コネクタに図示上方への外力Ｆが作用すると、固定部材６０が図示右側の端部８５（板幅方向外側の端部）を起点として回路基板９０から離れて引き剥がされる懸念がある。
【００３４】
しかるに本実施例１の場合、ハウジング装着部６１の上下方向途中に曲げ部６５が全幅にわたって設けられているため、固定部材６０に作用する応力をハウジング装着部６１の上下中央側に吸収させることができる。また、ハウジング装着部６１の左右両端縁には曲げ部６５と同じ高さ位置に一対の凹部７２が設けられているため、固定部材６０に作用する応力をハウジング装着部６１の左右中央側に吸収させることができる。したがって、固定部材６０に作用する応力をハウジング装着部６１の中心側に集めることができ、端部８５に応力が伝搬するのを抑制することができる。その結果、基板用コネクタに外力Ｆが作用しても、固定部材６０が端部８５を起点として回路基板９０から引き剥がされるのを防止することができる。
【００３５】
特に、各凹部７２の下端縁が直線状縁部７３を有し、各凹部７２の下端縁における奥端側の部分７４が開口端側の部分７５と概ね同じ高さ位置または開口端の部分７５より低い位置に配置されているため、ハウジング装着部６１の中心側に応力をより集めることができ、固定部材６０が外力Ｆを受けて回路基板９０から引き剥がされるのをより確実に防止することができる。
【００３６】
また、各凹部７２の上端縁が傾斜状縁部７６を有し、各凹部７２の上端縁における開口端側の部分７７から奥端側の部分７８に向けて下り勾配で傾斜して配置されているため、ハウジング装着部６１の中心側に応力をより伝搬させ易くなり、固定部材６０が外力Ｆを受けて回路基板９０から引き剥がされるのをよりいっそう確実に防止することができる。したがって、本実施例１によれば、固定部材６０が回路基板９０に半田付けされた状態を良好に維持することができる。
【００３７】
さらに、曲げ部６５と基板固定部６２とが前後方向（コネクタハウジング１０の壁面１２から離れる方向）で互いに重なり合う部分を有しているため、固定部材６０が前後方向に大型になるのを防止することができ、スペースの有効利用を図ることができる。
【００３８】
＜他の実施例＞
本発明は上記記述及び図面によって説明した実施例に限定されるものではなく、例えば次のような態様も本発明の技術的範囲に含まれる。
（１）曲げ部は、鋭角に屈曲する部分を含んでいてもよい。
（２）凹部の開口形状は、鋭角に屈曲する部分を含んでいてもよい。
（３）本発明は、シールド機能を有しないノンシールドタイプの基板用コネクタにも適用可能である。
【符号の説明】
【００３９】
１０…コネクタハウジング
１２…壁面
６０…固定部材
６１…ハウジング装着部
６２…基板固定部
６３…（下側の）平板部
６４…（上側の）平板部
６５…曲げ部
７２…凹部
９０…回路基板
【図１】
2020102389.tif 000003
【図２】
2020102389.tif 000004
【図３】
2020102389.tif 000005
【図４】
2020102389.tif 000006
【図５】
2020102389.tif 000007
【図６】
2020102389.tif 000008